(57)【要約】【課題】プラトー面を高能率で研削可能なプラトー面加工用レジノイド超砥粒砥石ホイールを提供する。【解決手段】砥石ホイール１０によれば、砥石部１６が１０〜６０容積％の気孔率と２〜１５ＧＰａの弾性率とを有することから、適度な軟らかさで超砥粒が結合されるとともに適度の割合で気孔が形成されているので、外周面で研削する通常の砥石ホイールと同様の研削手法を用いて、被削材２８の表面の拡大断面において図５に示すように深い油溝ｇと平坦なプラトー面部ｐとが精度良く、一挙に且つ能率良く形成される。【選択図】図５
2010046761.tif 000002
【特許請求の範囲】
【請求項１】
厚肉円板状の基台と、多数の超砥粒が合成樹脂結合剤により相互に結合して形成された砥石部が該基台の外周面に固着されて成り、拡大断面において平坦なプラトー面部と油溜まりとして機能する溝とを有するプラトー面加工用レジノイド超砥粒砥石ホイールであって、
前記砥石部が、１０〜６０容積％の気孔率と２〜１５ＧＰａの弾性率とを有することを特徴とするプラトー面加工用レジノイド超砥粒砥石ホイール。
【請求項２】
前記超砥粒は、＃６００〜＃１２０００の範囲内の粒度を有するものである請求項１のプラトー面加工用レジノイド超砥粒砥石ホイール。
【請求項３】
前記砥石部は、該砥石部の軸心方向において１／５〜４／５の幅を有して＃６００〜＃２０００の範囲内の粒度を有する超砥粒から構成される粗粒部と、該粗粒部を除く４／５〜１／５の幅を有して＃３０００〜＃１２０００の範囲内の粒度を有する超砥粒から構成される細粒部とから構成されることを特徴とする請求項１または２のプラトー面加工用レジノイド超砥粒砥石ホイール。
【請求項４】
前記基台は、無機結合剤の溶融温度よりも高い温度の焼成によって無機骨材粒子が該無機結合剤により相互に固着された焼結体である請求項１乃至３のいずれか１のプラトー面加工用レジノイド超砥粒砥石ホイール。
【請求項５】
前記砥石部には、気孔形成剤が含まれることを特徴とする請求項１乃至４のいずれか１のプラトー面加工用レジノイド超砥粒砥石ホイール。
【発明の詳細な説明】
【技術分野】
【０００１】
本発明は、拡大断面において平坦なプラトー面部と油溜まりとして機能する溝とを有するプラトー面を加工するために使用されるプラトー面加工用レジノイド超砥粒砥石ホイールに関する。
【背景技術】
【０００２】
騒音の低減、精度向上、耐久性向上のために機械部品の摺動面では、潤滑性を維持することが重要であるが、加工面精度を高めると、摺動面の磨耗性は向上するが、潤滑油が入り難くなり、焼き付きの発生が容易となり、耐久性が損なわれる。このため、高い加工面精度を有する面と油溜まりとして作用する深い溝とを有する面、すなわち拡大断面において平坦なプラトー面部と油溜まりとして機能する溝とを有するプラトー面を設けることが望まれている。たとえば、軸受の摺動面や転動体の受面においてそのプラトー面を設けると、軸受の騒音が低減されるとともに回転精度が高められ、耐久寿命が得られるようになる。
【０００３】
上記のプラトー面は、所定の研削が施された面に対してホーニング加工、超仕上げ加工、ラップ加工を施すことにより、表面粗さ計のプロファイルで言うと多数の突起および溝が形成された研削面のうちの、山の部分のみを研磨で除去することにより、平坦な研磨面および深い溝が混在した面状態で創生される。しかし、このような方法では工程が複雑で加工時間が長く加工能率が得られ難いとともに、安定した形状精度のプラトー面が得られ難い。
【０００４】
これに対して、粗砥石部と細砥石部とを並列させて、深い溝と平坦なプラトー面部とが混在したプラトー面を一工程で形成するようにした砥石が提案されている。特許文献１および特許文献２に記載されたものがそれである。このような砥石によれば、工程が１つになることから、加工時間が短縮されて加工能率が得られる利点がある。
【特許文献１】実開平６−８０５４７号公報
【特許文献２】特開平９−４７９５７号公報
【発明の開示】
【発明が解決しようとする課題】
【０００５】
しかしながら、上記特許文献１および特許文献２の砥石では、従来のホーニング加工と同様に、砥石を保持するホルダをその回転軸心方向に往復振動（オッシレーション）させつつ回転軸心まわりに回転駆動させることにより、その砥石の一面が押圧される面の研磨を行うものであることから、ホーニング加工等と同様に加工能率が十分に得られないという問題が残されていた。
【０００６】
本発明は、以上の事情を背景として為されたものであって、その目的は、プラトー面を高能率で研削可能なプラトー面加工用レジノイド超砥粒砥石ホイールを提供することにある。
【課題を解決するための手段】
【０００７】
本発明者等は、外周面で研削できる砥石ホイールを用いて前記プラトー面を加工可能な研究を開始し、種々の検討を重ねた結果、レジノイド超砥粒砥石の弾性率と気孔率とを工夫することによって、そのレジノイド砥石ホイールを用いてプラトー面を加工できることを見いだした。本発明はかかる知見に基づいて為されたものである。
【０００８】
すなわち、請求項１に係る発明の要旨とするところは、厚肉円板状の基台と、多数の超砥粒が合成樹脂結合剤により相互に結合して形成された砥石部が該基台の外周面に固着されて成り、拡大断面において平坦なプラトー面部と油溜まりとして機能する溝とを有するプラトー面加工用レジノイド超砥粒砥石ホイールであって、前記砥石部が、１０〜６０容積％の気孔率と２〜１５ＧＰａの弾性率とを有することを特徴とする。
【０００９】
また、請求項２に係る発明の要旨とするところは、請求項１に係る発明において、前記超砥粒は、＃６００〜＃１２０００の範囲内の粒度を有するものであることを特徴とする。
【００１０】
また、請求項３に係る発明の要旨とするところは、請求項１または２に係る発明において、前記砥石部は、その砥石部の軸心方向において、１／５〜４／５の幅を有して＃６００〜＃２０００の範囲内の粒度を有する超砥粒から構成される粗粒部と、その粗粒部を除く４／５〜１／５の幅を有して＃３０００〜＃１２０００の範囲内の粒度を有する超砥粒から構成される細粒部とから構成されることを特徴とする。
【００１１】
また、請求項４に係る発明の要旨とするところは、請求項１乃至３のいずれか１に係る発明において、前記基台は、無機結合剤の溶融温度よりも高い温度の焼成によって無機骨材粒子が該無機結合剤により相互に固着された焼結体であることを特徴とする。
【００１２】
また、請求項５に係る発明の要旨とするところは、請求項１乃至４のいずれか１に係る発明において、前記砥石部には、気孔形成剤が含まれることを特徴とする。
【発明の効果】
【００１３】
請求項１に係る発明によれば、前記砥石部が１０〜６０容積％の気孔率と２〜１５ＧＰａの弾性率とを有することから、適度な軟らかさで超砥粒が結合されるとともに適度の割合で気孔が形成されているので、外周面で研削する通常の砥石ホイールと同様の研削手法を用いて、被削材表面の拡大断面において深い溝と平坦なプラトー面部とが精度良く、一挙に且つ能率良く形成される。気孔率が９容積％以下であると、砥粒率が上昇して砥石のツルーイングおよびドレッシング時の抵抗値が高くなり、良好な砥石真直度および面精度が得られがたくなり、研削時においてプラトー面部の面粗度が荒くなる。また、気孔率が６０容積％を超えると、強度が低下するとともに製造が困難となる。また、弾性率が２ＧＰａを下回ると砥石の形状が不安定となって良好な砥石真直度および面精度が得られ難くなる。また、弾性率が１５ＧＰａを超えると、砥石硬度が高くなり過ぎてプラトー面部の面粗度や加工精度を得られ難くなる。
【００１４】
請求項２に係る発明によれば、前記超砥粒は、＃６００〜＃１２０００の範囲内の粒度を有するものであることから、プラトー面における溝加工と平坦なプラトー面部とを一挙に形成することができる。
【００１５】
請求項３に係る発明によれば、前記砥石部は、その砥石部の軸心方向において、１／５〜４／５の幅を有して＃６００〜＃２０００の範囲内の粒度を有する超砥粒から構成される粗粒部と、その粗粒部を除く４／５〜１／５の幅を有して＃３０００〜＃１２０００の範囲内の粒度を有する超砥粒から構成される細粒部とから構成されることから、たとえばセンタレス研削において被削材を軸心に平行な方向に送ることにより、粗粒部により被削材の表面に相対的に粗い粗面を創生した後に、細粒部によりその粗面の突起を除去して平坦なプラトー面部を形成することができる。
【００１６】
また、請求項４に係る発明によれば、前記基台は、無機結合剤の溶融温度よりも高い温度の焼成によって無機骨材粒子がその無機結合剤により相互に固着された焼結体であることから、高剛性の基台の外周面に砥石部が設けられるので、高い面精度が得られる。
【００１７】
また、請求項５に係る発明によれば、前記砥石部には、気孔形成剤が含まれることから、その気孔形成剤の混入量を調節することで、１０〜６０容積％の気孔率を容易に得ることができる。
【００１８】
ここで、好適には、前記気孔形成剤は有機質の中空体であり、前記合成樹脂結合剤は低弾性のエポキシ樹脂、特にビスフェノールＡ系エポキシ樹脂、フェノール樹脂、それらが混合された樹脂である。合成樹脂結合剤の硬化後の砥石ホイールの弾性率が２〜１５ＧＰａとなるように、気孔形成剤の割合および材質、合成樹脂結合剤の材質や混合割合が選択される。
【００１９】
好適には、前記有機質中空体は、塩化ビニリデン系樹脂およびアクリル系樹脂の何れか一種或いは二種以上の混合体から成るものである。前記有機質中空体は、それを含む場合の前記砥石部の弾性率をそれを含まない場合の弾性率の２／３ 〜１／４の範囲内の値とし得る弾性率を備えたものである。また、有機質中空体は、合成樹脂結合剤に対して１／３０〜１／２倍程度の弾性率であることが好ましく、前記基台すなわち砥石部を支持する基台は、合成樹脂結合剤に対して２〜１００倍程度の弾性率であることが好ましい。
【００２０】
好適には、前記有機質中空体は、前記超砥粒よりも粒径が大きいものである。このようにすれば、研削面に突き出している砥粒に作用した押圧力が１個の有機質中空体に伝達されるので、研削面が一層容易に変形させられ、延いては砥粒の突き出し高さが一層揃うことになる。一層好適には、前記有機質中空体は、前記超砥粒の３〜１０倍の粒径、例えば、５０〜１５０（μｍ）の範囲内、更に好適には、１００（μｍ）程度の平均粒径を有するものである。
【００２１】
好適には、前記有機質中空体は、その外周壁が０．１〜５（μｍ）の範囲内の厚さ寸法を有するものである。このようにすれば、外周壁が十分に薄いことから、研削面に押圧力が作用した際に砥石部内において一層容易に変形させられる。
【００２２】
好適には、前記有機質中空体は、前記砥石部内に１０〜３０（容量部）の範囲内、一層好適には２０（容量部）程度の割合で含まれる。このようにすれば、砥石部の機械的強度を十分に高く維持できる範囲で多量の有機質中空体が含まれていることから、研削面に露出させられた砥粒に作用した押圧力がその有機質中空体に受け止められる可能性が高められ、その突き出し高さが一層容易に揃うことになる。
【００２３】
また、好適には、前記超砥粒は、電気抵抗試験法による平均粒径（以下、本願において砥粒の平均粒径は全て電気抵抗試験法による値である）が２０（μm）以下の微細砥粒である。このようにすれば、極めて微細な超砥粒が用いられていることから、有機質中空体の弾性変形によって突き出し高さが一層揃い易くなると共に、被削材から押圧力が作用していない状態における突出し高さの初期的なばらつきが小さくなる。そのため、被研削面のキズが一層生じ難くなって一層良好な鏡面が得られる。一層好適には、超砥粒の平均粒径は、０．３μｍ(♯１２０００)〜１５μｍ（♯６００）の範囲内である。
【００２４】
また、好適には、前記超砥粒は、前記砥石部に１０〜３０（容量部）の範囲内、更に好適には２０（容量部）程度の砥粒率で含まれる。１０（容量部）よりも少なくなると研削性能が不十分になり、３０（容量部）よりも多くなるとドレッシングが困難になる。
【００２５】
また、好適には、前記合成樹脂結合剤は、前記砥石部内に３０〜５０（容量部）の範囲内、一層好適には４０（容量部）程度の割合で含まれる。
【００２６】
また、好適には、前記基台は、ビトリファイド結合剤で砥粒が結合されたビトリファイド砥石または鋼から成るものである。このようにすれば、これらは樹脂結合剤に比較して十分に高い５０（ＧＰａ）程度の弾性率を有する、すなわち、弾性変形し難いことから、樹脂結合剤で砥粒が結合された砥石部全体の変形が好適に抑制される。すなわち、基台は例えばフェノール、エポキシ等の樹脂結合剤が用いられた比較的弾性率が高いレジノイド砥石で構成することもできるが、ビトリファイド砥石や鋼が一層好ましいのである。上記ビトリファイド砥石は、例えば、酸化アルミニウムを砥粒とした高結合度のビトリファイド砥石等が好ましく、鋼は、一般炭素鋼や鋳鉄等が好ましい。
【００２７】
また、好適には、前記砥石部には、前記有機質中空体よりも大径の大気孔が分散して設けられたものである。このようにすれば、この大気孔が研削面に現れると、有機質中空体よりも大きいチップポケットを形成するので、破砕砥粒や切り粉の排出が一層容易になって目詰りが一層抑制される。
【００２８】
また、好適には、前記大気孔は、合成樹脂等の有機質材料やセラミックス等の無機材料等から選択される種々の材料で形成し得るが、砥石部の弾性率を高めないことが好ましく、例えば発泡倍率が１０倍程度の発泡ポリスチレン等を樹脂中に分散させ、これを例えば砥石の熟成時等に加熱収縮させることにより形成することが好適である。
【００２９】
また、好適には、前記大気孔は、前記有機質中空体の３〜１００倍の範囲内の直径、例えば、０．５〜２（ｍｍ）の範囲内、一層好適には１（ｍｍ）程度の直径を有するものである。
【００３０】
また、好適には、前記プラトー面加工用レジノイド超砥粒砥石ホイールは、前記基台が中央部に厚み方向に貫通する取付孔を備えた円板状、リング状、または円筒状を成し、且つその外周面に前記砥石部が一様な厚さ寸法で固着されたものである。このようなプラトー面加工用レジノイド超砥粒砥石ホイールは、平面研削盤や芯無し研削盤等の汎用研削盤に取り付けられて用いられ、被削材の鏡面仕上げのために特別な加工機やドレッシング装置を何ら必要としない利点がある。
【００３１】
また、好適には、前記プラトー面加工用レジノイド超砥粒砥石ホイールは、前記基台が有底円筒状を成し且つその開放側の円環状端面に前記砥石部が固着されたカップ状砥石であり、円筒研削、平面研削、内面研削等にも用いられるものである。また、好適には、前記プラトー面加工用レジノイド超砥粒砥石ホイールは、スルーフィード方式またはインフィード方式のセンタレス研削に用いられる。
【００３２】
また、好適には、前記砥石部は、前記基台の外周面上に２〜１０（ｍｍ）の範囲内、例えば５（ｍｍ）程度の厚さ寸法で設けられる。このようにすれば、砥石部の厚さ寸法が十分に厚くされているので、砥石部内で有機質中空体が好適に圧縮されて砥粒突出し高さが揃う一方、砥石部の厚さ寸法が十分に薄くされているので、研削面に作用した押圧力で砥石部全体が圧縮変形させられ延いてはその外周面形状が変形させられることが好適に抑制されると共に、砥石部の熱膨張に起因する寸法精度の低下が一層抑制される。すなわち、本発明のプラトー面加工用レジノイド超砥粒砥石ホイールは、砥石部が基台に固着された構造であることから、その砥石部が熱膨張係数の大きい樹脂結合剤により砥粒が結合されたものであっても、その熱膨張が基台によって抑制されることによって砥石部の熱膨張に起因する寸法精度低下が抑制される利点を有するが、砥石部が薄くされる場合にはこれが一層顕著になる。
【００３３】
また、好適には、前記砥石部は、前記超砥粒よりも低硬度の砥粒を骨材として含むものである。骨材は、超砥粒と同程度の粒度、例えば♯１５００程度のものが好ましく、また、５〜２０（容量部）の範囲内、好適には１０（容量部）程度の割合で含まれることが好ましい。また、骨材としては、人造炭化珪素やアルミナ等が好適に用いられる。
【００３４】
また、好適には、前記砥石部は、液状樹脂中に前記超砥粒および前記有機質中空体を分散させた液状混合物を所定の成形型内に流し込み成形することにより形成されたものである。このようにすれば、液状樹脂が砥粒相互間および有機質中空体相互間に満たされた状態で硬化させられることによって砥石部が形成されるため、粉末樹脂が用いられる場合に比較して砥粒の保持力が高められて研削面の過度の磨耗が抑制され、砥石寿命が高められる。なお、このような製造方法においては、砥石部が殆ど気孔を有しない緻密体に形成されるが、有機質中空体（前記大気孔を形成するための有機質材料等が含まれる場合にはその有機質材料および有機質中空体）が気孔形成材として機能するので、砥石部に気孔が存在しないことに起因する目詰りや焼け等の問題は生じない。
【００３５】
また、上記のような製造方法が採られる場合において、一層好適には、前記液状混合物は、前記所定の成形型内に前記基台を配置した状態でその外周側に流し込まれる。
【００３６】
また、好適には、上記のような流し込み成型法が採られる場合において、成形型は、前記液状樹脂が流し込まれるその内面が離型性を有するものである。このようにすれば、成形型内に流し込まれた流動性砥石原料の硬化過程においてこれが収縮させられる際に、型内面に固着されないことからその収縮が妨げられないので、歪みが生ずることが抑制される。また、硬化後に成形型内から容易に取り出すことも可能となる。このような離型処理は、例えば、成形型をポリプロピレン等の離型性を有する材料で構成すること、成形型内面にシリコーン樹脂或いはフッ素樹脂等のコーティングを施すこと、或いはポリプロピレン樹脂等のフィルムを設けること等で行うことができる。
【発明を実施するための最良の形態】
【００３７】
以下、本発明の一実施例を図面を参照して詳細に説明する。なお、以下の実施例において図は適宜簡略化或いは変形されており、各部の寸法比および形状等は必ずしも正確に描かれていない。
【実施例１】
【００３８】
図１は、本発明の一実施例のプラトー面加工用レジノイド超砥粒砥石ホイール（以下、砥石ホイールという）１０の全体を示す斜視図である。図１において、砥石ホイール１０は、外径３０５（ｍｍ）×厚さ２０（ｍｍ）程度の円板状を成し、中央部に軸心方向（すなわち厚み方向）に貫通する内径（孔径）１２７．６（ｍｍ）程度の取付孔１２を備えたものであって、その取付孔１２を備えた厚肉円板状のコア部１４と、そのコア部１４の外周面に固着された砥石部１６とから構成されている。本実施例においては、上記のコア部１４が基台或いは支持体に相当する。
【００３９】
上記のコア部１４は、例えば外径２９５（ｍｍ）程度のレジノイド砥石から成る高剛性の部材である。このレジノイド砥石は、例えばエポキシ等の樹脂結合剤で酸化アルミニウム等の砥粒を結合したものであって、全体として例えば１０（ＧＰａ）程度の高い弾性率を備えている。
【００４０】
また、上記の砥石部１６は、コア部１４の外周面に径方向において例えば５（ｍｍ）程度の厚さ寸法で設けられている。この砥石部１６は、例えば粒度が＃１２００程度のダイヤモンド（好ましくは人造単結晶ダイヤモンド）等の砥粒（超砥粒）１８を、例えばビスフェノールＡ系エポキシ樹脂結合剤２０で結合したものである。上記砥粒１８は、砥石部１６内においてたとえば２０容量部程度の割合で略一様な分散状態で存在している。なお、砥粒１８は、上記粒度に限られず種々の粒度のものを用いることができ、ＣＢＮ砥粒であっても良い。また、合成樹脂結合剤２０は、ビスフェノールＡ系エポキシ樹脂の他、硬質ポリウレタン樹脂等も用いられ得る。
【００４１】
図２は、砥石部１６の構成すなわち砥石組織を拡大して示す図である。砥石部１６は、砥粒１８が樹脂結合剤２０で結合されたものであるが、これらの他に、例えば粒度が＃１５００程度すなわち砥粒１８と同程度の炭化珪素（好ましくは人造炭化珪素）等の一般砥粒から成る図示しない骨材や、有機質中空体２２等が樹脂結合剤２０中に分散されることにより構成されている。また、砥石組織中には、比較的大きな略球形の大気孔２４が多数存在する。本実施例において、砥石部１６の気孔は大気孔２４の他、有機質中空体２２によっても構成されており、樹脂結合剤２０内の他の部分には空隙は殆ど存在せず、緻密に構成されている。なお、前記の骨材は、砥石部１６内に例えば１０（容量部）程度の割合で含まれている。この骨材は、樹脂結合剤２０の弾性率を補って砥石部１６の弾性率を高める、すなわち弾性変形し難くするために添加されているものである。砥石部１６のうち砥粒１８、有機質中空体２２、および大気孔２４を除く残部（以下、適宜「樹脂組織」という）の弾性率は、例えば２〜１５ＧＰａ程度になっている。すなわち、前述したコア部１４の弾性率は、樹脂組織の弾性率の３倍程度の値になっており、その樹脂組織よりも弾性変形し難い特性を有する。
【００４２】
上記の有機質中空体２２は、例えば、塩化ビニリデン系樹脂およびアクリル系樹脂のうちの何れか一種類または二種類以上の混合物等の有機化合物から成るものであって、１００μｍ程度、すなわち砥粒１８の１２．５倍程度の平均粒径を有し、砥石部１６内に例えば２０容量部程度の割合で略一様な分散状態で含まれている。この有機質中空体２２は、上記のような樹脂から成り且つ外周壁（殻）の厚さ寸法が例えば０．５μｍ程度の中空球体であるので、押圧された際に容易に弾性的に押し縮められ得る。すなわち、有機質中空体２２は、樹脂組織の弾性率の１／１０程度の低弾性率の材料で構成されており、樹脂組織よりも弾性変形し易い特性を有する。このため、砥石部１６の弾性率は、有機質中空体２２が含まれていない場合の２／３〜１／４程度の範囲内の値に低下させられている。
【００４３】
また、上記の大気孔２４は、後述するように例えば発泡倍率が１０倍程度の発泡ポリスチレン等の高分子有機化合物から形成されたものであって、例えば１ｍｍ程度すなわち有機質中空体の平均粒径の１０倍程度の直径を有し、砥石部１６内に１０（容量部）程度の割合で略一様な分散状態で存在する。なお、樹脂結合剤２０の構成割合は、全容量からこれら砥粒１８、骨材、有機中空体２２、および大気孔２４の全容積を除いた残部であり、例えば砥石部１６内に４０（容量部）程度の割合で含まれている。
【００４４】
以上のように構成される砥石ホイール１０は、例えば、図３に実施状態を模式的に示されるようなセンタレス研削加工に用いられるものである。図３において、ワークレスト（ブレード）２６上に、たとえばＳＵＪ−２から成る軸状のワーク（被削材）２８が載置されており、その両側に配置された砥石ホイール１０と調整車３０との間でそのワーク２８が挟圧されている。そして、調整車３０によりワーク２８を所定の回転数で回転させながら、砥石ホイール１０を所定の回転数で回転駆動することにより、ワーク２８が砥石部１６の粗粒部１６ａ側から送られて、ワーク２８の外周面３２が研削加工される。なお、砥石ホイール１０と調整車３０とは、その軸心が互いに平行から僅かに傾いた位置関係にあるが、図においては簡略化して平行に描いている。
【００４５】
上記のような研削加工において、粗粒部１６ａでは、砥粒１８の粒度が比較的粗いため、その粒度に応じた突起および溝がワーク２８の表面に多数形成される。ワーク２８が細粒部１６ｂに到達すると、砥石ホイール１０の研削面３４がワーク２８の外周面３２に押し付けられ、その細粒部１６ｂからの砥粒１８の突き出し量にばらつきがある場合において、相対的に大きく突き出した砥粒１８ａ、１８ｂに外周面３２から作用する押圧力が、相対的に突き出し量の小さい砥粒１８ｃに作用する押圧力よりも大きくなる。しかし、本実施例においては、砥石部１６の結合剤が低弾性率のビスフェノールＡ系エポキシ樹脂で構成されると共に、その砥石部１６内に樹脂結合剤２０よりも低弾性率の有機質中空体２２が分散させられていることから、弾性変形し易いため、砥粒１８ａ、１８ｂに作用した大きな押圧力は樹脂結合剤２０を介してその有機質中空体２２に伝達され、これを弾性的に押し縮める。すなわち、有機質中空体２２がエアー・クッションとして機能する。そのため、樹脂結合剤２０がその研削面３４近傍で僅かに弾性的に凹状に変形させられることにより、砥粒１８ａ、１８ｂが速やかに後退させられるので、その切れ刃先端が図４に示されるように、砥粒１８ｃと同一面上に位置させられる。すなわち、研削加工は、このように砥粒１８の突き出し高さが実質的に揃った状態で為されるのである。
【００４６】
したがって、細粒部１６ｂでは、研削面３４に一部の砥粒１８が過度に突き出した状態でワーク外周面３２を研削することが無いので、そのような砥粒１８によってキズが生じることが抑制され、延いては＃３０００〜１２０００程度の微細砥粒による微細な加工が好適に実現される。これにより、センタレス研削盤のような汎用研削盤において砥石ホイール１０でありながら、極めて平滑な表面、例えば十点平均粗さＲｚで０．０２μｍを下回る（すなわちそれよりも平滑な）鏡面状のプラトー面Ｐが深い油溝ｇと共に容易に得られる。図５は、その一例である。
【００４７】
例えば、気孔率が７容積％、４２容積％である下記に示す寸法の砥石（比較例１、開発例１）を下記のドレス条件および研削条件で使用したところ、被削材において、比較例１では、ドレス時の抵抗が０．８ｋｇｆ、面粗度が０．０８ｍＲａであったが、開発例１では、ドレス時の抵抗が０．２ｋｇｆと１／４となり、面粗度が０．０２ｍＲａと１／４となった。このような鏡面状のプラトー面Ｐは、従来はホーニングや超仕上げによらなければ得られなかったのである。また、ワーク外周面３２を例えばレンジで２（μｍ）程度以下の高い寸法精度で加工することができた。
【００４８】
［砥石］
・寸法  ：φ４２０×ｔ１５０×φ２２８．６（ｍｍ）
・コア部：φ４０５×ｔ１５０×φ２２８．６（ｍｍ）、ビトリファイド砥石製コア
【００４９】
［ドレッシング条件］
・研削盤      ：センタレス研削盤
・砥石周速度  ：２０００（ｍ／ｍｉｎ）
・ドレス切込み：Ｒ２（μｍ／ｐａｓｓ）、スパークアウト３ｐａｓｓ
・ドレスリード：０．０６（ｍｍ／ｒｅｖ．ｏｆ．ｗｈｅｅｌ）
・ドレッサ    ：単石ドレッサ
・ドレス方式  ：湿式ドレス
【００５０】
［研削条件］
・被削材    ：ＳＵＪ−２焼材（ＨＲｃ６０）、前加工粗さ：０．４μｍＲｚ
・被削材寸法：φ９×Ｌ１４（ｍｍ）
・取代      ：φ１０（μｍ）
・研削方式  ：湿式スルーフィードセンタレス研削
・砥石周速度：２７００（ｍ／ｍｉｎ）
・送り角    ：１．０°
・修正角    ：０．５°
【００５１】
しかも、砥石部１６内に分散して存在する大気孔２４は、研削面３４に露出させられると、図４に示されるようにその研削面３４に巨大な凹所３６を形成する。この凹所３６は、研削面３４においてチップポケットとして機能し、研削面３４から脱落し或いは破砕された砥粒１８や、切り粉（すなわち研削屑）等を一時的に収容することによってその排出を容易にする。そのため、目詰りが好適に抑制されるので、良好な切れ味が長時間に亘って維持され、研削焼けが抑制されてワーク外周面３２が一層平滑に研削される利点がある。
【００５２】
更に、上記のように砥石部１６は容易に弾性的に押し縮められ得るように構成され、延いては研削面３４が容易に弾性的に後退させられるように構成されているが、砥石部１６は前述したような樹脂結合剤２０よりも高弾性率の（すなわち弾性変形し難い）コア１４の外周面に固着されていることから、その砥石部１６の過度の変形がそのコア１４によって抑制される。そのため、研削面３４が過度に変形させられることがないので、研削面３４全体の寸法精度および形状精度が保たれることから、ワーク外周面３２を高い寸法精度および形状精度で加工できる利点もある。
【００５３】
上記の砥石ホイール１０は、例えば、以下のようにして製造される。図６は、砥石ホイール１０の製造工程の要部を説明する工程図である。砥石ホイール１０を製造するに際しては、先ず、調合工程Ｐ１において、前述したような割合となるように砥粒（ダイヤモンド砥粒）１８、骨材（炭化珪素）、有機質中空体２２、大気孔２４を形成するための発泡ポリスチレン、樹脂結合剤（液状エポキシ樹脂）２０をそれぞれ秤量し、混合工程Ｐ２において、順次に混合した。すなわち、先ず、砥粒１８、エポキシ樹脂結合剤の主剤と硬化剤、および有機質中空体２２を混合し、例えば１０分間程度攪拌する。次いで、これに発泡ポリスチレンを投入し、５分間程度攪拌する。次いで、流し込み工程Ｐ３では、このようにして得られた流動性砥石原料を金型３８内に流し込む。
【００５４】
図７は、この流し込み工程Ｐ３の実施状態を説明する模式図である。図において、金型３８は、例えば内径３０８ｍｍ程度、深さ２２ｍｍ程度の凹所４０を備えたものであって、その凹所４０内面には離型性のコーティングやフィルム等が設けられている。凹所４０内には、別途製造された前記コア部１４がその中央部に配置されており、それらの相互間には例えば径方向の幅寸法が５ｍｍ程度の円環状断面の隙間４２が形成されている。なお、コア部１４は前述したように例えばレジノイド砥石で構成されるものであり、例えば外径φ２９５ｍｍ×ｔ２２ｍｍ程度の寸法を備えている。上記の流し込み工程Ｐ３では、このような金型３８内の隙間４２に、前記の流動性砥石原料が流し込まれる。
【００５５】
次いで、硬化工程Ｐ４では、金型３８内に流し込んだまま常温（すなわち室温）で例えば２４時間程度放置することにより、樹脂結合剤２０を硬化させ、更に、金型３８から取り出し（脱型し）、例えば１６０（℃）程度の温度で３時間程度の本硬化処理を施す。この過程で発泡ポリスチレンは収縮させられ、前記の大気孔２４が生成される。その後、端面、外周面（研削面３４）、および孔（取付孔１２）内面等の仕上げ加工を施すことにより、前記の砥石ホイール１０が得られる。
【００５６】
このようにして製造される砥石ホイール１０は、液状樹脂が用いられて流し込み成形されることから、砥粒１８が樹脂結合剤２０に強固に保持されるので、砥粒１８の過度の脱落が抑制され、長寿命が得られる。樹脂結合剤組織中に自然発生的な気孔は存在しないが、前述したように大気孔２４が発泡ポリスチレンから生成されると共に、有機質中空体２２がチップポケットとして機能する気孔を形成する。
【００５７】
上述のように、本実施例の砥石ホイール１０によれば、砥石部１６が１０〜６０容積％の気孔率と２〜１５ＧＰａの弾性率とを有することから、適度な軟らかさで超砥粒が結合されるとともに適度の割合で気孔が形成されているので、外周面で研削する通常の砥石ホイールと同様の研削手法を用いて、被削材２８の表面の拡大断面において図５に示すように深い油溝ｇと平坦なプラトー面部ｐとが精度良く、一挙に且つ能率良く形成される。
【００５８】
また、本実施例の砥石ホイール１０によれば、超砥粒１８は、＃６００〜＃１２０００の範囲内の粒度を有するものであることから、プラトー面Ｐにおける溝加工と平坦なプラトー面部とを一挙に形成することができる。
【００５９】
また、本実施例の砥石ホイール１０によれば、コア部（基台）１４は、無機結合剤の溶融温度よりも高い温度の焼成によって一般砥粒（無機骨材粒子）がその無機結合剤により相互に固着された焼結体であることから、高剛性のコア部（基台）１４の外周面に砥石部が設けられるので、高い面精度が得られる。
【００６０】
また、本実施例の砥石ホイール１０によれば、砥石部１６には、有機質中空体（気孔形成剤）２２が含まれることから、その有機質中空体２２の混入量を調節することで、１０〜６０容積％の気孔率を容易に得ることができる。
【実施例２】
【００６１】
次に、本発明の他の実施例を説明する。なお、以下の説明において前述の実施例と共通する部分には同一の符号を付して説明を省略する。
【００６２】
図８において、本実施例の砥石ホイール１０の砥石部１６は、コア部１４の外周面に径方向において例えば５（ｍｍ）程度の厚さ寸法で設けられている。この砥石部１６は、例えば粒度が＃６００〜＃２０００好適には＃７００程度のダイヤモンド（好ましくは人造単結晶ダイヤモンド）等の砥粒（超砥粒）１８を、例えばビスフェノールＡ系エポキシ樹脂結合剤２０で結合した粗粒部１６ａと、例えば粒度が＃３０００〜＃１２０００好適には＃８０００程度のダイヤモンド（好ましくは人造単結晶ダイヤモンド）等の砥粒（超砥粒）１８を、例えばビスフェノールＡ系エポキシ樹脂結合剤２０で結合した細粒部１６ｂとから成るものである。粗粒部１６ａおよび細粒部１６ｂは、上記砥石部１６の幅方向すなわち回転軸心方向において１／５〜４／５および４／５〜１／５の割合で設けられている。粗粒部１６ａの砥粒１８と細粒部１６ｂの砥粒１８とは５倍以上の粒径の差が設けられている。上記砥粒１８は、砥石部１６内においてたとえば２０容量部程度の割合で略一様な分散状態で存在している。本実施例の砥石ホイール１０でも、前述の図７に示す工程により製造されるが、流し込み工程Ｐ３および硬化工程Ｐ４が２度繰り返される。
【００６３】
例えば、上記粗粒部１６ａを＃７００の粒度であるダイヤモンド砥粒１８を用いて気孔率を１２容積％、弾性率４ＧＰａとし、上記細粒部１６ｂを＃８０００の粒度であるダイヤモンド砥粒１８を用いて気孔率を５４容積％、弾性率４ＧＰａとした前述の比較例１、開発例１に示す寸法の砥石（開発例２）を作成して前述のドレス条件および研削条件（但し、切り込み量１０μｍ、被削材の材質４２０Ｊ２）で使用したところ、被削材において、開発例２では、プラトー面部ｐの面粗さＲｚが０．０５μｍ、油溝ｇの面粗さＲｚが０．４１μｍとなった。このようなプラトー面部ｐおよび油溝ｇを含む鏡面状のプラトー面Ｐは、従来はホーニングや超仕上げによらなければ得られなかったのである。また、ワーク外周面３２を例えばレンジで２（μｍ）程度以下の高い寸法精度で加工することができた。
【００６４】
本実施例の砥石ホイール１０によれば、砥石部１６は、その砥石部１６の軸心方向において、１／５〜４／５の幅を有して＃６００〜＃２０００の範囲内の粒度を有する超砥粒から構成される粗粒部と、その粗粒部を除く４／５〜１／５の幅を有して＃３０００〜＃１２０００の範囲内の粒度を有する超砥粒から構成される細粒部とから構成されることから、たとえばセンタレス研削において被削材を軸心に平行な方向に送ることにより、粗粒部により被削材の表面に相対的に粗い粗面を創生した後に、細粒部によりその粗面の突起を除去して平坦なプラトー面部を形成することができる。
【００６５】
以上、本発明を図面を参照して詳細に説明したが、本発明は更に別の態様でも実施でき、その主旨を逸脱しない範囲で種々変更を加え得るものである。
【図面の簡単な説明】
【００６６】
【図１】本発明のプラトー面加工用レジノイド超砥粒砥石ホイールの全体を示す斜視図である。
【図２】図１のプラトー面加工用レジノイド超砥粒砥石ホイールの砥石部を拡大して示す図である。
【図３】図１のプラトー面加工用レジノイド超砥粒砥石ホイールの使用状態を模式的に示す図である。
【図４】図３に示す使用状態における研削面の変化を説明するための要部を拡大して示す断面図であって、被削材によって研削面が押圧されつつある状態でその押圧力に従って砥粒が押し下げられた状態をそれぞれ示す図である。
【図５】図４に示す状態で研削された研削面の表面プロファイルを拡大して示す図である。
【図６】図１のレジノイド砥石の製造方法の要部を説明する工程図である。
【図７】図６の製造工程における流し込み工程を順次説明する図であって、（ａ）はコア部を金型の凹所内にセットした状態を、（ｂ）は流動性砥石原料を流し込んだ状態を示している。
【図８】本発明の他の実施例のプラトー面加工用レジノイド超砥粒砥石ホイールの全体を示す斜視図である。
【符号の説明】
【００６７】
１０：砥石ホイール（プラトー面加工用レジノイド超砥粒砥石ホイール）
１４：コア部（基台）
１６：砥石部
１８：砥粒
２０：樹脂結合剤
２２：有機質中空体
３２：ワーク外周面
３４：研削面
【図１】
2010046761.tif 000003
【図２】
2010046761.tif 000004
【図３】
2010046761.tif 000005
【図４】
2010046761.tif 000006
【図５】
2010046761.tif 000007
【図６】
2010046761.tif 000008
【図７】
2010046761.tif 000009
【図８】
2010046761.tif 000010